(57)【要約】【課題】金融書類トランザクションのための優れたシステムを提供する。【解決手段】複数の金融書類トランザクション要求であって、それぞれの金融書類トランザクション要求が磁気インク文字認識（ＭＩＣＲ）コード及び金融書類の画像を有する当該複数の金融書類トランザクション要求、を処理するサーバと、イメージセンサ、プロセッサ及び送信機を有する携帯デバイスにインストールされたモジュールであって、当該モジュールは、前記イメージセンサを使用してキャプチャされた画像中に撮像された金融書類からＭＩＣＲコードを抽出するために前記プロセッサを使用するとともに、ネットワークを介して前記サーバに金融書類トランザクション要求として前記ＭＩＣＲコード及び前記画像を転送するために前記送信機を使用する、当該モジュールと、を備えるシステム、を提供する。【選択図】図２
2015515054.tif 000002
【特許請求の範囲】
【請求項１】
携帯イメージセンサ対応デバイスを使用して金融書類のトランザクションを実行する方法であって、
携帯デバイスのイメージセンサを使用して、金融書類を表す複数の画像をキャプチャするステップであって、キャプチャする処理中に、
前記複数の画像のうちの少なくとも１つの画像を処理して、前記複数の画像のうちの少なくとも１つの画像での前記金融書類の視認性レベルを示す少なくとも１つの画像品質パラメータを導出するサブステップ、
前記少なくとも１つの画像品質パラメータを変更して前記視認性レベルを上げるために必要とされる少なくとも１つのユーザ操作を示す命令を生成するサブステップ、および、
視認性閾値より上の前記視認性レベルを有する前記少なくとも１つの画像がキャプチャされるときに、前記少なくとも１つの画像を分析する処理を行い、磁気インク文字認識（ＭＩＣＲ）コードを抽出するサブステップ、
を実行する、当該キャプチャするステップと、
前記金融書類に基づいて金融トランザクションを実行するためのサーバに、前記ＭＩＣＲコード及び前記少なくとも１つの画像を送信するステップと、
を備える、方法。
【請求項２】
前記送信するステップは、
前記ＭＩＣＲコードに関連する前記少なくとも１つの画像を前記サーバに送信する処理を含む、請求項１に記載の方法。
【請求項３】
前記方法は、
前記携帯デバイスのディスプレイにユーザインターフェース（ＵＩ）を提示するステップと、
前記ＵＩを介してユーザ金融データを受信するステップと、
をさらに備え、
前記送信するステップは、
前記ＭＩＣＲコードに関連する前記ユーザ金融データを前記サーバに送信する処理を含む、請求項１に記載の方法。
【請求項４】
前記少なくとも１つの画像品質パラメータが、画像輝度パラメータを含み、
前記命令が、前記金融書類の付近の照明を強くする必要性を示すものである、
請求項１に記載の方法。
【請求項５】
前記少なくとも１つの画像品質パラメータが、画像青味パラメータを含み、
前記命令が、前記携帯デバイスと前記金融書類の間の距離を変更する必要性を示すものである、
請求項１に記載の方法。
【請求項６】
前記携帯デバイスが、ハンドヘルド型である、請求項１に記載の方法。
【請求項７】
前記少なくとも１つの画像品質パラメータが、構図パラメータを含み、
前記命令が、前記金融書類の角度を傾ける必要性を示すものである、
請求項１に記載の方法。
【請求項８】
前記命令を生成するサブステップは、
前記携帯デバイスのディスプレイに前記命令を提示する処理を含む、請求項１に記載の方法。
【請求項９】
前記命令を生成するサブステップは、
前記携帯デバイスのスピーカを使用して、前記命令を聞こえるように再生する処理を含む、請求項１に記載の方法。
【請求項１０】
前記命令を生成するサブステップは、
前記携帯デバイスの触覚要素を使用して、前記命令に応じて触覚に基づく選別を生み出す処理を含む、請求項１に記載の方法。
【請求項１１】
前記分析する処理は、
複数の別個の要素の行をセグメント化する処理と、
前記別個の要素それぞれを複数のパターンとマッチングして、ＭＩＣＲ文字を識別する処理と、
を含む、請求項１に記載の方法。
【請求項１２】
コンピュータに、請求項１に記載の方法の各ステップを実行させるためのプログラムを記録したコンピュータ読み取り可能な記録媒体。
【請求項１３】
携帯デバイスであって、
金融書類を表す複数の画像をキャプチャするイメージセンサと、
前記複数の画像のうちの少なくとも１つの画像を処理して、前記複数の画像のうちの少なくとも１つの画像での前記金融書類の視認性レベルを示す少なくとも１つの画像品質パラメータを導出し、前記少なくとも１つの画像品質パラメータを変更して前記視認性レベルを上げるために必要とされる少なくとも１つのユーザ操作を示す命令を生成するプロセッサと、
ユーザによる当該携帯デバイスの操作中に前記命令を提示するためのディスプレイと、
前記複数の画像のうちの少なくとも１つの画像を分析して磁気インク文字認識（ＭＩＣＲ）コードを抽出する磁気インク文字認識（ＭＩＣＲ）モジュールと、
前記金融書類を預けるためのサーバに、前記ＭＩＣＲコード及び前記画像を送信する通信インターフェースと、
を備える、携帯デバイス。
【請求項１４】
前記携帯デバイスが、セルラデバイスである、請求項１３に記載の携帯デバイス。
【請求項１５】
複数の金融書類トランザクション要求であって、それぞれの金融書類トランザクション要求が磁気インク文字認識（ＭＩＣＲ）コード及び金融書類の画像を有する当該複数の金融書類トランザクション要求、を処理するサーバと、
イメージセンサ、プロセッサ及び送信機を有する携帯デバイスにインストールされたモジュールであって、当該モジュールは、前記イメージセンサを使用してキャプチャされた画像中に撮像された金融書類からＭＩＣＲコードを抽出するために前記プロセッサを使用するとともに、ネットワークを介して前記サーバに金融書類トランザクション要求として前記ＭＩＣＲコード及び前記画像を転送するために前記送信機を使用する、当該モジュールと、
を備える、システム。
【請求項１６】
前記モジュールが、前記携帯デバイスの操作方法をユーザに示す命令を生成するユーザ命令モジュール、を含み、
当該命令は、前記携帯デバイスのディスプレイ、スピーカ及び振動要素から成るグループにおける、いずれかを使用して前記ユーザに提示される、請求項１５に記載のシステム。
【請求項１７】
前記モジュールが、前記携帯デバイスにインストールされたユーザインターフェース（ＵＩ）を管理し、前記ＵＩを使用するユーザからトランザクション関連データを受信し、
前記モジュールが、前記送信機を使用して、前記ＭＩＣＲコードに関連する前記トランザクション関連データを前記サーバに転送する、
請求項１５に記載のシステム。
【発明の詳細な説明】
【技術分野】
【０００１】
本発明は、そのいくつかの実施形態で、金融書類トランザクションに関し、より詳細には、それだけには限らないが、金融書類トランザクションのために携帯デバイスを使用する方法及びシステムに関する。
【背景技術】
【０００２】
小切手、預金、伝票、支払伝票及び／又は同様のものなどの金融書類は、銀行及び金融機関によって大量に処理される。処理され得る金融書類は、小切手を含み得る。
【０００３】
過去１年間に、銀行などの金融機関は、金融書類の金融情報、例えば口座番号及び銀行支店番号、のコンピュータ可読インジケーションを印刷することによって、金融書類処理システムを自動化した。金融書類の処理中、そのコンピュータ可読インジケーションが識別され、預金額、口座番号、銀行ＩＤ、及び／又は銀行の支店のＩＤなどの金融データが、自動的に抽出される。例えば、金融書類が小切手であるとき、磁気インク文字認識（ＭＩＣＲ）行から情報をキャプチャする小切手処理制御システムが使用される。ＭＩＣＲ行は、磁気インクを使用して小切手に印刷された機械及び人間可読文字から成る。ＭＩＣＲデータ欄は、銀行支店番号（ＲＩＮ）、銀行転送番号、口座番号、小切手通し番号、小切手金額、処理コード及び拡張処理コードを含む。
【発明の概要】
【０００４】
本発明のいくつかの実施形態によれば、携帯イメージセンサ対応デバイスを使用して金融書類のトランザクションを実行する方法が提供される。本方法は、携帯デバイスのイメージセンサを使用して、金融書類を表す複数の画像をキャプチャするステップであって、キャプチャする処理中に、前記複数の画像のうちの少なくとも１つの画像を処理して、前記複数の画像のうちの少なくとも１つの画像での前記金融書類の視認性レベルを示す少なくとも１つの画像品質パラメータを導出するサブステップ、前記少なくとも１つの画像品質パラメータを変更して前記視認性レベルを上げるために必要とされる少なくとも１つのユーザ操作を示す命令を生成するサブステップ、および、視認性閾値より上の前記視認性レベルを有する前記少なくとも１つの画像がキャプチャされるときに、前記少なくとも１つの画像を分析する処理を行い、磁気インク文字認識（ＭＩＣＲ）コードを抽出するサブステップ、を実行する、当該キャプチャするステップと、前記金融書類に基づいて金融トランザクションを実行するためのサーバに、前記ＭＩＣＲコード及び前記少なくとも１つの画像を送信するステップと、を備える。
【０００５】
任意選択で、前記送信するステップは、前記ＭＩＣＲコードに関連する前記少なくとも１つの画像を前記サーバに送信する処理を含む。
【０００６】
任意選択で、本方法は、前記携帯デバイスのディスプレイにユーザインターフェース（ＵＩ）を提示するステップと、前記ＵＩを介してユーザ金融データを受信するステップと、をさらに備え、前記送信するステップは、前記ＭＩＣＲコードに関連する前記ユーザ金融データを前記サーバに送信する処理を含む。
【０００７】
任意選択で、前記少なくとも１つの画像品質パラメータが、画像輝度パラメータを含み、前記命令が、前記金融書類の付近の照明を強くする必要性を示すものである。
【０００８】
任意選択で、前記少なくとも１つの画像品質パラメータが、画像青味パラメータを含み、前記命令が、前記携帯デバイスと前記金融書類の間の距離を変更する必要性を示すものである。
【０００９】
任意選択で、前記携帯デバイスは、ハンドヘルド型である。
【００１０】
任意選択で、前記少なくとも１つの画像品質パラメータが、構図（ｃｏｍｐｏｓｉｔｉｏｎ）パラメータを含み、前記命令が、前記金融書類の角度を傾ける必要性を示すものである。
【００１１】
任意選択で、前記命令を生成するサブステップは、前記携帯デバイスのディスプレイに前記命令を提示する処理を含む。
【００１２】
任意選択で、前記命令を生成するサブステップは、前記携帯デバイスのスピーカを使用して前記命令を聞こえるように再生する処理を含む。
【００１３】
任意選択で、前記命令を生成するサブステップは、前記携帯デバイスの触覚要素を使用して、前記命令に応じて触覚に基づく選別（ｔａｃｔｉｌｅ  ｓｉｎｇｌｉｎｇ）を生み出す処理を含む。
【００１４】
任意選択で、前記分析する処理は、複数の別個の要素の行をセグメント化する処理と、前記別個の要素それぞれを複数のパターンとマッチングして、ＭＩＣＲ文字を識別する処理と、を含む。
【００１５】
本発明のいくつかの実施形態によれば、金融書類を表す複数の画像をキャプチャするイメージセンサと、前記複数の画像のうちの少なくとも１つの画像を処理して、前記複数の画像のうちの少なくとも１つの画像での前記金融書類の視認性レベルを示す少なくとも１つの画像品質パラメータを導出し、前記少なくとも１つの画像品質パラメータを変更して前記視認性レベルを上げるために必要とされる少なくとも１つのユーザ操作を示す命令を生成するプロセッサと、ユーザによる前記携帯デバイスの操作中に前記命令を提示するためのディスプレイと、前記複数の画像のうちの少なくとも１つの画像を分析して磁気インク文字認識（ＭＩＣＲ）コードを抽出する磁気インク文字認識（ＭＩＣＲ）モジュールと、前記金融書類を預けるためのサーバに、前記ＭＩＣＲコード及び前記画像を送信する通信インターフェースと、を備える、携帯デバイスが提供される。
【００１６】
任意選択で、前記携帯デバイスは、セルラデバイスである。
【００１７】
本発明のいくつかの実施形態によれば、複数の金融書類トランザクション要求であって、それぞれの金融書類トランザクション要求が磁気インク文字認識（ＭＩＣＲ）コード及び金融書類の画像を有する当該複数の金融書類トランザクション要求、を処理するサーバと、イメージセンサ、プロセッサ及び送信機を有する携帯デバイスにインストールされたモジュールであって、当該モジュールは、前記イメージセンサを使用してキャプチャされた画像中に撮像された金融書類からＭＩＣＲコードを抽出するために前記プロセッサを使用するとともに、ネットワークを介して前記サーバに金融書類トランザクション要求として前記ＭＩＣＲコード及び前記画像を転送するために前記送信機を使用する、当該モジュールと、を備える、システムが提供される。
【００１８】
任意選択で、前記モジュールが、前記携帯デバイスの操作方法をユーザに示す命令を生成するユーザ命令モジュール、を含み、当該命令は、前記携帯デバイスのディスプレイ、スピーカ及び振動要素から成るグループにおける、いずれかを使用して前記ユーザに提示される。
【００１９】
任意選択で、前記モジュールが、前記携帯デバイスにインストールされたユーザインターフェース（ＵＩ）を管理し、前記ＵＩを使用するユーザからトランザクション関連データを受信し、前記モジュールが、前記送信機を使用して、前記ＭＩＣＲコードに関連する前記トランザクション関連データを前記サーバに転送する。
【００２０】
別段定義がない限り、本明細書では、すべての技術的及び／又は科学的用語は、本発明が関係する当業者によって一般に理解されるものと同じ意味を有する。本明細書に記載されるものと同様の又は同等の方法及び材料が、本発明の実施形態の実施又は試験で使用され得るが、例示的な方法及び／又は材料が以下に記載される。矛盾のある場合には、定義を含めて、本特許明細書が優先することになる。加えて、その材料、方法及び例は、単に例示的であり、必ずしも限定的ではないものとする。
【００２１】
本発明の実施形態の方法及び／又はシステムの実装は、選択されたタスクを手動で、自動的に、又はそれらの組合せで、実行又は完了することを含み得る。さらに、本発明の方法及び／又はシステムの実施形態の実際の器具類及び機器によれば、いくつかの選択されたタスクが、ハードウェアによって、ソフトウェアによって、又はファームウェアによって、或いは、オペレーティングシステムを使用してそれらの組合せによって、実装され得る。
【００２２】
例えば、本発明の実施形態による選択されたタスクを実行するためのハードウェアは、チップ又は回路として実装され得る。ソフトウェアとしては、本発明の実施形態による選択されたタスクは、任意の適切なオペレーティングシステムを使用するコンピュータによって実行される複数のソフトウェア命令として実装され得る。本発明の例示的一実施形態で、本明細書に記載の方法及び／又はシステムの例示的実施形態による１つ又は複数のタスクが、複数の命令を実行するためのコンピューティングプラットフォームなどのデータプロセッサによって、実行される。任意選択で、そのデータプロセッサは、命令及び／又はデータを記憶するための揮発性メモリ、及び／又は、命令及び／又はデータを記憶するための不揮発性メモリ、例えば、磁気ハードディスク及び／又は取外し可能な媒体、を含む。任意選択で、ネットワーク接続もまた提供される。ディスプレイ、及び／又は、キーボード若しくはマウスなどのユーザ入力デバイスもまた、任意選択で提供される。
【００２３】
本発明のいくつかの実施形態が、添付の図面を参照して、単に一例として、本明細書で説明される。ここで図面を詳しく参照すると、図示された詳細は、一例としてであり、本発明の実施形態の例示的考察を目的とすることが強調される。この関連で、図面とともに本明細書は、本発明の実施形態がどのように実施され得るかを当業者に明らかにする。
【図面の簡単な説明】
【００２４】
【図１】本発明のいくつかの実施形態による、複数のイメージセンサ対応携帯デバイスが１つ又は複数のサーバと金融書類トランザクションを実行することを容易にするためのシステムの概略図である。
【図２】本発明のいくつかの実施形態による、小切手などの金融書類の遠隔預金のユーザ誘導の方法のフローチャートである。
【図３】本発明のいくつかの実施形態による、所定の閾値より上の視認性レベルを有する画像のキャプチャ中にユーザに指示する例示的プロセスのフローチャートである。
【図４】本発明のいくつかの実施形態による、金融書類の画像からＭＩＣＲコードを抽出するためのプロセスのフローチャートである。
【発明を実施するための形態】
【００２５】
本発明は、そのいくつかの実施形態で、金融書類トランザクションに関し、より詳細には、それだけには限らないが、金融書類トランザクションのために携帯デバイスを使用する方法及びシステムに関する。
【００２６】
本発明のいくつかの実施形態によれば、十分な視認性レベルで金融書類を表す画像がキャプチャされるまで、ユーザがイメージセンサ対応携帯デバイスを操作する画像キャプチャプロセスを通してユーザを案内することによって、金融書類トランザクションを実行するための方法及びシステムが提供される。キャプチャされた画像は、次いで、任意選択でＭＩＣＲコードが抽出された画像及び／又はその金融書類の同様の画像とともに、金融機関のサーバなどのネットワークノードに後で送信されるＭＩＣＲコードを抽出するために、分析される。これは、ネットワークノードがその金融書類に基づいて金融トランザクションを実行することを可能にする。
【００２７】
任意選択で、視認性レベルが、イメージセンサによってキャプチャされたビデオ動画の画像の１つ又は複数の画像品質パラメータに基づいて分析される。その画像品質パラメータは、鮮鋭度、輝度、及び／又は構図分析に従って、生成され得る。
【００２８】
任意選択で、金融書類に関するユーザ生成コンテンツが、例えば、その携帯デバイスのディスプレイでレンダリングされるユーザインターフェースを使用し、ユーザによって提供される。そのユーザ生成コンテンツは、例えば、預金の口座番号、その金融書類に記入された金額を含むトランザクションデータ、及び、その金融書類に記入された所与のデータである。そのユーザ生成コンテンツは、任意選択で、ＭＩＣＲコードに関連して、サーバに送信される。
【００２９】
本発明の少なくとも１つの実施形態を詳細に説明する前に、本発明は、その適用において、以下の記述で説明される並びに／又は図面及び／若しくは例に示される構造の詳細及び構成要素の配置並びに／又は方法に必ずしも限定されないことを理解されたい。本発明は、他の実施形態或いは様々な方法で実施又は実行することが可能である。
【００３０】
本発明のいくつかの実施形態による、複数のイメージセンサ対応携帯デバイス１００が１つ又は複数のネットワークノード１０３と金融書類トランザクションを実行することを容易にするためのシステム９９の概略図である、図１をここで参照する。本発明のいくつかの実施形態によれば、小切手などの撮像された金融書類からローカルに金融データを抽出するイメージセンサ１０１を有する各携帯デバイス１００は、ネットワーク１１０を介して、その金融データを、任意選択で、撮像された金融書類の画像とともに、遠隔ネットワークノード１０３のうちの１つ又は複数のノードに、例えばサーバに、転送する。携帯デバイス１００は、携帯電話などの任意のカメラ対応ハンドヘルド型デバイス、タブレット、カメラ対応眼鏡及び／又は同様のものなどのスマートウェアラブルデバイスでもよい。遠隔サーバ１０３は、複数のサーバのうちの１つサーバ、例えばいくつかの金融機関のうちの１つの金融機関の金融機関サーバ、例えば銀行サーバ、でもよい。ネットワーク１１０は、インターネット、セルラ通信ネットワーク、イーサネット（登録商標）及び／又は同様のものでもよい。
【００３１】
携帯デバイス１００は、任意選択で、マルチコアの先進の縮小命令セットコンピュータ（ＲＩＳＣ）マシン（ＡＲＭ）などのプロセッサ１０４、ユーザ命令モジュール１０５、及び、磁気インク文字認識（ＭＩＣＲ）モジュール１０６を含む。任意選択で、ユーザ命令モジュール１０５及びＭＩＣＲモジュール１０６は、携帯デバイス１００にインストールされたアプリケーション、例えばアプリケーションストアからダウンロードされた及び／又はあらかじめ携帯デバイス１００にインストールされたアプリケーション、の部分である。任意選択で、ユーザ命令モジュール１０５及びＭＩＣＲモジュール１０６が、携帯デバイス１００で実行されるブラウザにアップロードされる動的構成要素、例えば、ウェブサービス及び／又はウェブページのロード中にダウンロードされる非同期ジャバスクリプト及び拡張マークアップ言語（ＸＭＬ）（ＡＪＡＸ）オブジェクト、としてそのデバイスに一時的にインストールされる。
【００３２】
本発明のいくつかの実施形態による、小切手などの金融書類の遠隔預金などのトランザクションのユーザ誘導の方法のフローチャート２００である、図２をここで参照する。
【００３３】
はじめに、２０１に示すように、携帯デバイス１００は、イメージセンサ１０１を使用して、画像とも称される複数のフレームを備えるビデオ動画をキャプチャする。任意選択で、各画像は、所定の間隔でキャプチャされる。使用中、例えば、ユーザが、携帯デバイス１００を使用して、小切手などのある特定の金融書類を処理したいとき、例えば、銀行口座にある特定の金融書類を預けたいとき、彼は、ユーザ命令モジュール１０５によって任意選択で管理されるグラフィカルユーザインターフェース（ＧＵＩ）をロードする。そのＧＵＩは、任意選択で、携帯デバイス１００のディスプレイに提示され、イメージセンサ１０１によってキャプチャされたビデオ動画をレンダリングする。これは、ユーザが、携帯デバイス１００を操作してそのある特定の金融書類の画像をキャプチャすることを可能にする。
【００３４】
２０２に示すように、ビデオ動画のキャプチャ中に、ビデオ動画のフレームが処理され、任意選択で、続けて、撮像された金融書類の視認性レベルを示す１つ又は複数の画像品質パラメータを導出する。その１つ又は複数の画像品質パラメータは、輝度パラメータ、交信角度パラメータ、及び／又は鮮鋭度パラメータを含む。これらのパラメータは、例えば当技術分野で知られているような、輝度、構図、及びぼやけを評価するための画像処理方法によって、計算され得る。視認性レベルは、画像品質パラメータ及び／又は１つ若しくは複数の画像品質パラメータの組合せの結果でもよい。そのような実施形態で、十分な視認性レベルが、所定の閾値とのマッチに基づいて、評価され得る。その視認性レベルは、それらの画像品質パラメータのうちの別の画像品質パラメータに従って各々セットされた値の配列を含む。そのような実施形態で、十分な視認性レベルは、それらの値のうちの別の値の各々の１セットの閾値とのマッチに基づいて、評価され得る。
【００３５】
ここで、２０３に示すように、キャプチャされた画像の撮像された金融書類の視認性レベルを上げるために、１つ又は複数の画像品質パラメータを変更するために必要とされる少なくとも１つのユーザ操作を示す命令が、計算される。任意選択で、その計算は、ユーザ命令モジュール１０５によって、及び、プロセッサ１０４を使用して、その携帯デバイスでローカルに実行される。
【００３６】
任意選択で、２０４に示すように、計算された命令は、例えば、携帯デバイス１０１のディスプレイに視覚的命令として、携帯デバイス１０１のスピーカを使用して再生される可聴式命令として、及び／又は、携帯デバイス１０１の振動要素を使用して提供される触覚的インジケーションとして、ユーザに提示される。任意選択で、２０５に示すように、それらの命令は、十分な視認性レベルを有する１つ又は複数の画像が計算されるまで、繰り返して再計算される。
【００３７】
本発明のいくつかの実施形態によれば、所定の命令が、画像品質パラメータ（複数可）の値（複数可）に関連付けられる。そのような実施形態で、ビデオ動画の分析から抽出された画像品質パラメータ（複数可）は、画像品質パラメータ（複数可）の値（複数可）とマッチングされ、マッチが発見されたとき、それぞれの命令がユーザに提示される。
【００３８】
例えば、本発明のいくつかの実施形態による、所定の閾値より上の視認性レベルを有する画像のキャプチャ中にユーザに指示する例示的プロセスのフローチャート３００である、図３をここで参照する。３０１に示すように、本プロセスは、ビデオ動画の画像に繰り返して実施される。任意選択で、３０２に示すように、画像輝度が分析されて、輝度レベルを判定する。輝度レベルが低すぎる場合、ユーザは、任意選択で、３０３に示すように、照明を強くするように求められ、新しいフレーム（複数可）がキャプチャされ、分析される。加えて又は別法として、３０４に示すように、画像スキューが、金融書類のプロパティを有する要素のエッジに関して分析される。撮像された金融書類が、フレームに関して位置合わせされていない場合、ユーザは、任意選択で、３０５に示すように、携帯デバイス１００をまっすぐにするように求められ、新しいフレーム（複数可）がキャプチャされ、分析される。任意選択で、キャプチャされたフレームは、その携帯デバイスの正しい交信角度を識別するために、分析される。その正しい交信角度に基づいて、ユーザは、彼が作るべき傾斜の向きを示す命令を与えられる。加えて又は別法として、３０６に示すように、画像鮮鋭度が分析される。画像がぼやけている場合、ユーザは、任意選択で、３０７に示すように、その金融書類に関して携帯デバイス１００の位置を調整するように又は任意の他のぼやけ除去操作を実行するように求められ、新しいフレーム（複数可）がキャプチャされ、分析される。例えば、ユーザは、任意選択で、その金融書類から携帯デバイスまでの距離を変更するように求められる。任意選択で、キャプチャされたフレームが、携帯デバイスがその金融書類から近すぎる又は遠すぎるかどうかを識別するために、分析される。正しい交信角度に基づいて、ユーザは、彼が行うべき操作を示す命令を与えられる。確認された品質パラメータの値が十分に高い場合、３０８に示すように、その１つ又は複数の分析されたフレームが選択される。任意選択で、各々の前述のテストは、それぞれの画像品質パラメータが所定の値に合格したかどうかを示すブール値、及び、任意選択で、そのテストが不合格であった場合に命令を生成するための測定された補正、例えば、デバイスが回転させられるべき角度或いはデバイスが焦点から後ろに引かれる及び／又は引込められるべきか、を返す機能を使用して実行される。この計算は、例えば本明細書に記載されるように、ユーザによって認識されるように設計された提示に翻訳されたものとして使用される。
【００３９】
ここで、再び、図２が参照される。２０５に示すように、フレームのうちの１つ又は複数のフレームが視認性閾値より上の視認性レベルを有するとき、その１つ又は複数のフレームは、その金融書類からＭＩＣＲコードを抽出するために、分析される。
【００４０】
例えば、本発明のいくつかの実施形態による、ある一定の所定の閾値より上の視認性レベルを有する、本明細書で高視認性画像と呼ばれる金融書類の画像からＭＩＣＲコードを抽出するためのプロセスのフローチャート４００である、図４がここで参照される。
【００４１】
はじめに、４０１に示すように、その金融書類の角が、例えば高視認性画像のバイナリバージョンを使用し、検出される。次いで、４０２に示すように、その角は、任意選択で、高視認性画像中で金融書類を表すオブジェクトをセグメント化する（トリミングする）ために使用される。任意選択で、トリミングされた画像は、２値化されて、計算の複雑性を低減する。ここで、４０３に示すように、複数の文字サブセグメントの行が、例えば、２値化に従って、そのオブジェクト内で識別される。ここで、４０４に示すように、ＭＩＣＲコード文字が、例えばその複数の文字セグメントの各々の文字セグメントをパターンマッチングすることによって、識別される。任意選択で、各文字サブセグメントは、ＭＩＣＲディジットのパターン辞書を形成するためのいくつかのパターンとのマッチである。各マッチは、最良のマッチを選択することを可能にする信頼度レベルをもたらす。任意選択で、最良のマッチパターンの信頼度レベルがある一定の閾値より上である場合、そのとき、ＭＩＣＲ文字は、識別されたと考えられる。任意選択で、文字セグメントは、それらの比率、セグメント中の黒いピクセルのパーセンテージ、パターンマッチ及び／又は同様のものに基づいて、識別される。任意選択で、制御ディジットが、識別の正確さを検査するために使用される。これは、４０５に示すように、ＭＩＣＲコードを出力することを可能にする。任意選択で、本プロセスが失敗し、ＭＩＣＲコードが識別されない場合には、例えば４０６に示すように、ユーザに通知が提示される。これは、ユーザが、新しい高視認性画像で前述のプロセスを繰り返すこと及び／又はＭＩＣＲコードの画像が分析なしで送信されることを決定することを可能にする。任意選択で、４０７に示すように、ユーザは、提示された識別されたＭＩＣＲコードを手動で認証するように求められる。
【００４２】
ここで、再び、図２が参照される。任意選択で、２０６に示すように、ユーザは、その金融書類に関するトランザクションデータ、例えば、預金の目標口座、受領者名、パスワード、識別（ＩＤ）番号及び／又は同様のもの、を提供する。任意選択で、トランザクションデータは、その金融書類に記入された金額を含む。任意選択で、トランザクションデータは、その金融書類に記入された所与のデータを含む。任意選択で、トランザクションデータは、その画像のキャプチャ及び／又はＭＩＣＲの抽出の前に、間に及び／又は後に、ユーザに提示される指定されたＵＩを使用して入力される。
【００４３】
２０７に示すように、ＭＩＣＲコードは、任意選択で暗号化される、例えば伝送制御プロトコルインターネットプロトコル（ＴＣＰ／ＩＰ）メッセージ、例えばハイパテキスト転送プロトコル（ＨＴＴＰ）メッセージ、でネットワーク１１０を介して遠隔サーバ１０３に送信される。任意選択で、そこからＭＩＣＲコードが抽出される画像及び／又は同様の画像及び／又は１つ若しくは複数の順次画像が、２０８に示すように、ＭＩＣＲコードとともに又はＭＩＣＲコードに関連して送信される。これは、その金融書類の所有権の証拠として使用することができる。任意選択で、トランザクションデータは、遠隔サーバ１０３に又はＭＩＣＲコードに関連して送信される。受信サーバ１０６が、ここで、その金融書類、及び、任意選択でそれに関連する、例えばそれに従ってユーザの口座に及び／又はユーザによって指定された口座に預金を行う、任意のトランザクションデータを処理することができる。
【００４４】
任意選択で、携帯デバイス２００は、サーバ１０３をプルしてトランザクションの状況を受信する。その状況に基づいて、ユーザは、トランザクションが完了したことを知らされるか、或いは、ＭＩＣＲコード、画像及び／又はユーザ提供のトランザクションデータを再キャプチャするように求められる。
【００４５】
本願から成熟する特許の存続期間中、多数の関連するシステム及び方法が開発されることになることが予期され、プロセッサ、モジュール、及びイメージセンサという用語の範囲は、先験的にすべてのそのような新しい技術を含むことが意図されている。
【００４６】
本明細書では、「約」という用語は、±１０％を示す。
【００４７】
「備える」、「備えた」、「含む」、「含んだ」、「有する」という用語及びそれらの同根語は、「含むがこれらに限定されない」ことを意味する。この用語は、「から成る」及び「から基本的に成る」という用語を包含する。
【００４８】
「から基本的に成る」という語句は、追加の要素及び／又はステップが、特許請求されている構成又は方法の基本的な及び新しい特性を大きく変えない場合にのみ、その構成又は方法が、その追加の要素及び／又はステップを含み得ることを意味する。
【００４９】
本明細書では、「１つの」及び「その」という単数形は、別段文脈上明らかに示されない限り、複数の参照を含む。例えば、「１つの化合物」又は「少なくとも１つの化合物」という用語は、その混合物を含む、複数の化合物を含み得る。
【００５０】
本明細書では「例示的」という言葉は、「例、事例又は実例の役割を果たすこと」を意味するために使用される。「例示的」として記載されたいずれの実施形態も、他の実施形態より好ましい又は有利なものとして及び／又は他の実施形態の特徴の組み込みを排除するものとして必ずしも解釈されるものではない。
【００５１】
本明細書では、「任意選択で」という言葉は、「いくつかの実施形態で提供され、他の実施形態では提供されない」ことを意味するために使用される。本発明のいずれの特定の実施形態も、そのような特徴が矛盾しない限り複数の「任意選択の」特徴を含み得る。
【００５２】
本願を通して、本発明の様々な実施形態が、範囲形式で提示されることがある。範囲形式での記述は、単に、便宜及び簡潔性のためであり、本発明の範囲の不動の制限として解釈されるべきではないことを理解されたい。したがって、範囲の記述は、具体的に開示されるすべての及び起こり得る部分的範囲並びにその範囲内の個々の数値を有すると考えられるべきである。例えば、１〜６などの範囲の記述は、１〜３、１〜４、１〜５、２〜４、２〜６、３〜６などの具体的に開示される部分的範囲、並びに、その範囲内の個々の数、例えば、１、２、３、４、５、及び６を有すると考えられるべきである。これは、範囲の幅にかかわらず適用される。
【００５３】
数の範囲が本明細書で示されるときには必ず、その範囲は、示された範囲内の任意の引用される数（小数の又は整数の）を含むことを意図されている。第１のインジケート数と第２のインジケート数「にわたる／の間の範囲」、並びに、第１のインジケート数「〜」第２のインジケート数「にわたる／の範囲」という語句は、本明細書では同義的に使用され、第１の示された数及び第２の示された数、並びにその間のすべての小数及び整数の数を含むことを意図されている。
【００５４】
明確にするために、別個の実施形態との関連で記載された、本発明のある特定の特徴は、単一の実施形態で組み合わせて実現することもまた可能であることが、理解されよう。逆に、簡潔さのために、単一の実施形態との関連で記載された、本発明の様々な特徴は、別個に又は任意の適切な部分的組合せで又は本発明の任意の他の記載された実施形態において適するものとして実現することもまた可能である。様々な実施形態に関連して記載されたある特定の特徴は、その実施形態がそれらの要素なしに動作不能でない限り、それらの実施形態の基本的な特徴として考えられるものではない。
【００５５】
本発明が、特定の実施形態とともに説明されたが、多数の代替、修正形態及び変更形態が当業者には明らかとなろうことは明白である。したがって、本発明は、添付の特許請求の範囲の趣旨及び広い範囲内にあるすべてのそのような代替、修正形態及び変更形態を包含するものである。
【００５６】
本明細書で言及されたすべての出版物、特許及び特許出願は、各個々の出版物、特許及び特許出願が参照により本明細書に組み込まれるものとして具体的に及び個々に示されたのと同程度に、参照によってここにその全部が本明細書に組み込まれる。加えて、本願中の任意の参照の言及又は識別は、そのような参照が本発明への先行技術として使用可能であることの了解として解釈されるものではない。セクションの見出しが使用される限りにおいて、それらは必ずしも限定として解釈されるべきではない。
【図２】
2015515054.tif 000003
【図３】
2015515054.tif 000004
【図４】
2015515054.tif 000005
【図１】
2015515054.tif 000006
【国際調査報告】
2015515054.tif 000007